(57)【要約】【課題】冷蔵庫において、食品等の収納性及び取り出し性に優れ、使い勝手のよいものとすること。【解決手段】冷蔵庫８０は、複数の貯蔵室を形成した冷蔵庫本体１と、貯蔵室の前面開口部を開閉する回動式扉及び引出式扉からなる冷蔵庫扉と、回動式扉で開閉される貯蔵室２に食品等を載置するために設置された棚１１とを備える。棚１１は貯蔵室２内に設けられた棚支持部１２に移動装置５０を介して支持される。移動装置５０は棚１１に食品等が載置されている状態のまま当該棚１１を前後方向に水平に移動可能に構成されている。【選択図】図７
2010008012.tif 000002
【特許請求の範囲】
【請求項１】
複数の貯蔵室を形成した冷蔵庫本体と、
前記貯蔵室の前面開口部を開閉する回動式扉及び引出式扉からなる冷蔵庫扉と、
前記回動式扉で開閉される前記貯蔵室に食品等を載置するために設置された棚とを備えた冷蔵庫において、
前記棚は前記貯蔵室内に設けられた棚支持部に移動装置を介して支持され、
前記移動装置は前記棚に食品等が載置されている状態のまま当該棚を前後方向に水平に移動可能に構成されている
ことを特徴とする冷蔵庫。
【請求項２】
請求項１において、前記棚は平板状またはトレイ状の部材で形成され、前記移動装置は前記棚の両側面に装着された左右一対の移動装置で構成され、前記左右一対の移動装置は前記貯蔵室内に設けられた左右一対の棚支持部に載置されていることを特徴とする冷蔵庫。
【請求項３】
請求項２において、前記棚支持部は前後方向に水平に延びる棚支持リブで構成されていることを特徴とする冷蔵庫。
【請求項４】
請求項３において、前記冷蔵庫本体は外箱と前記貯蔵室を形成する内箱との間に断熱材を充填して構成され、前記棚支持リブは、前記内箱の両側面を突出するリブで構成されると共に、上下に複数箇所設けられ、前記移動装置は前記上下の複数箇所の各棚支持リブに前記棚と共に配置換え可能に載置されていることを特徴とする冷蔵庫。
【請求項５】
請求項２において、前記回動式扉は庫内側に突出する扉ポケットを設けており、この扉ポケットは、当該回動式扉の庫内側の面を構成する扉ライナーで形成されると共に、前記冷蔵庫本体の前面より奥側に突出するように設けられ、前記棚支持リブ及び前記棚は前記扉ポケットの後方に配置され、前記移動装置は前記回動式扉の開放時に前記棚を前記冷蔵庫本体の前面付近まで前方に移動可能としたことを特徴とする冷蔵庫。
【請求項６】
請求項１において、前記移動装置は、前記棚に力を伝達するバネ、前記棚の移動方向の力を吸収するダンパ及びラッチを備えていることを特徴とする冷蔵庫。
【発明の詳細な説明】
【技術分野】
【０００１】
本発明は、冷蔵庫に係り、特に貯蔵室内に食品等を載置する棚を移動可能に設置した冷蔵庫に好適なものである。
【背景技術】
【０００２】
冷蔵庫の棚の使い勝手の向上を目的とした従来の冷蔵庫としては、特開２００１−９１１５１号公報（特許文献１）及び特開２００３−２６２４６２号公報（特許文献２）に示されたものがある。
【０００３】
特許文献１の冷蔵庫は、貯蔵室内の上部に配置された棚と、この棚の左右の対向する位置に設けられた二つに折れ曲がる前後二対のアームリンク機構を備えた棚装置と備えている。そして、アームリンク機構は、一方の端を内箱の側壁面に固定し、他方の端を棚の側面に固定して、棚を引き出す際に棚を前斜め下方へ移動させることで、動作軌跡が小さくコンパクトな機構で庫内上部の棚の使い勝手を改善している。
【０００４】
また、特許文献２の冷蔵庫は、冷蔵庫内に配設された棚と、この棚を載置するフレームと、前記フレーム内に設けられたタイミングベルトと、前記タイミングベルトに連動して回転する複数の軸と、前記複数の軸を回転させることによって動力が伝達されて移動する移動板と、前記移動板が載置されることによって前記フレームを上下方向または左右方向に移動させる棚受け部と、を有した棚装置を備えている。そして、前記複数の軸のいずれか１つをモータにて回転させることによって、前記フレームを上下方向または左右方向に移動可能とし、食品等の収容物を載置したままで、棚を上下または左右に移動させることができ、小さな操作力でも棚を移動できると共に、庫内食品収納スペースを有効に使用できるようにしている。
【０００５】
【特許文献１】特開２００１−９１１５１号公報
【特許文献２】特開２００３−２６２４６２号公報
【発明の開示】
【発明が解決しようとする課題】
【０００６】
しかし、特許文献１の冷蔵庫では、棚を前斜め下方へ移動させる際に棚の下方に貯蔵した食品等が邪魔になるおそれがあり、食品等の収納が制約されることとなり、使い勝手の良いものとは言えなかった。
【０００７】
また、特許文献２の冷蔵庫では、棚の奥側に載置された食品等の取り出しを容易にすることについて配慮されていないため、食品等の取り出し性に関して使い勝手の良いものとは言えなかった。
【０００８】
本発明の目的は、食品等の収納性及び取り出し性に優れ、使い勝手のよい冷蔵庫を提供することにある。
【課題を解決するための手段】
【０００９】
前述の目的を達成するために、本発明では、複数の貯蔵室を形成した冷蔵庫本体と、前記貯蔵室の前面開口部を開閉する回動式扉及び引出式扉からなる冷蔵庫扉と、前記回動式扉で開閉される前記貯蔵室に食品等を載置するために設置された棚とを備えた冷蔵庫において、前記棚は前記貯蔵室内に設けられた棚支持部に移動装置を介して支持され、前記移動装置は前記棚に食品等が載置されている状態のまま当該棚を前後方向に水平に移動可能に構成されていることにある。
【００１０】
係る本発明のより好ましい具体的な構成例は次の通りである。
（１）前記棚は平板状またはトレイ状の部材で形成され、前記移動装置は前記棚の両側面に装着された左右一対の移動装置で構成され、前記左右一対の移動装置は前記貯蔵室内に設けられた左右一対の棚支持部に載置されていること。
（２）前記棚支持部は前後方向に水平に延びる棚支持リブで構成されていること。
（３）前記冷蔵庫本体は外箱と前記貯蔵室を形成する内箱との間に断熱材を充填して構成され、前記棚支持リブは、前記内箱の両側面を突出するリブで構成されると共に、上下に複数箇所設けられ、前記移動装置は前記上下の複数箇所の各棚支持リブに前記棚と共に配置換え可能に載置されていること。
（４）前記回動式扉は庫内側に突出する扉ポケットを設けており、この扉ポケットは、当該回動式扉の庫内側の面を構成する扉ライナーで形成されると共に、前記冷蔵庫本体の前面より奥側に突出するように設けられ、前記棚支持リブ及び前記棚は前記扉ポケットの後方に配置され、前記移動装置は前記回動式扉の開放時に前記棚を前記冷蔵庫本体の前面付近まで前方に移動可能としたこと。
（５）前記移動装置は、前記棚に力を伝達するバネ、前記棚の移動方向の力を吸収するダンパ及びラッチを備えていること。
【発明の効果】
【００１１】
本発明によれば、食品等の収納性及び取り出し性に優れ、使い勝手のよい冷蔵庫を提供できる。
【発明を実施するための最良の形態】
【００１２】
以下、本発明の複数の実施形態について図を用いて説明する。各実施形態の図における同一符号は同一物または相当物を示す。
【００１３】
（第１実施形態）
本発明の第１実施形態の冷蔵庫を図１から図７を用いて説明する。
【００１４】
まず、本実施形態の冷蔵庫８０の全体に関して図１から図３を参照しながら説明する。図１は本実施形態の冷蔵庫８０の斜視図を示す図、図２は図１の冷蔵庫８０の縦断面図、図３は図１の冷蔵庫の扉を省略して示す上部正面図である。なお、図２及び図３では、移動装置５０を省略して示してある。
【００１５】
冷蔵庫８０は、冷蔵庫本体１、貯蔵室扉２ａ〜６ａ、冷凍サイクル、制御装置等を備えて構成されている。
【００１６】
冷蔵庫本体１は、鋼板製の外箱１ａと樹脂製の内箱１ｂとの間にウレタン発泡断熱材１ｃ及び真空断熱材（図示せず）を有して構成されている。この冷蔵庫本体１は、上から冷蔵室２、切り替え室３及び製氷室４、冷凍室５、野菜室６の順に複数の貯蔵室を有している。換言すれば、最上段に冷蔵室２が、最下段に野菜室５が、それぞれ区画して配置されており、冷蔵室２と野菜室５との間には、これらの両室２、６と断熱的に仕切られた切り替え室３、製氷室４及び冷凍室５が配設されている。冷蔵室２及び野菜室６は冷蔵温度帯の貯蔵室であり、切り替え室３、製氷室４及び冷凍室５は０℃以下の冷凍温度帯の貯蔵室である。
【００１７】
冷蔵庫本体１の前面には、貯蔵室２〜６の前面開口部を開閉する貯蔵室扉２ａ〜６ａが配置されている。冷蔵室扉２ａは冷蔵室２の前面開口部を開閉する扉、切り替え室扉３ａは切り替え室３の前面開口部を開閉する扉、製氷室扉４ａは製氷室４の前面開口部を開閉する扉、冷凍室扉５ａは冷凍室５の前面開口部を開閉する扉、野菜室扉６ａは野菜室６の前面開口部を開閉する扉である。
【００１８】
ここで、冷蔵室扉２ａは、回動式扉（具体的には、観音開き式扉）で構成され、庫内側に突出する扉ポケット２１を設けている。この扉ポケット２１は、冷蔵室扉２ａの庫内側の面を構成する扉ライナー２２を突出させることにより形成され、冷蔵庫本体１の前面１ｄより奥側に突出して設けられている。扉ポケット２１における奥側への突出量は、冷蔵室２の奥行き寸法の概略１／３程度となっている。一方、切り替え室扉３ａ、製氷室４ａ、冷凍室扉５ａ及び野菜室扉６ａは、引き出し式の扉によって構成されている。
【００１９】
冷蔵室２には、食品等を載置する棚１１、１１Ａが設置されている。棚１１は略矩形の平板状に形成され、移動装置５０を介して棚支持部１２に着脱可能に支持されている。なお、棚１１はトレイ状に形成されていてもよい。棚１１は複数であっても、１つであってもよい。棚１１Ａは、冷蔵室２内を区画して食品を収納するための区画室２３の上に載置されている。
【００２０】
棚支持部１２は前後方向に水平に延びる棚支持リブ１２で構成されている。棚支持リブ１２は、冷蔵室２に設けられた左右一対の棚支持リブ１２で構成され、具体的には、内箱１ｂの両側面を突出して形成された左右一対の棚支持リブ１２で構成されている。
【００２１】
棚支持リブ１２は上下に複数箇所設けられている。棚１１は、載置されている棚支持リブ１２から移動装置５０と共に取り外して他の棚支持リブ１２に載置すること、即ち、配置換えすることが可能となっている。棚１１の高さの調整ができることによって、収納する食品等の大きさに合わせて収納スペースを有効に利用することができる。
【００２２】
棚支持リブ１２及び棚１１は、扉ポケット２１の後方に配置され、その奥行き寸法は冷蔵室２の奥行き寸法の概略２／３となっている。
【００２３】
次に、図４及び図５を参照しながら、棚１１及び移動装置５０を具体的に説明する。図４は図１の冷蔵庫に用いられる棚１１及び移動装置５０の斜視図、図５は図１の冷蔵庫に用いられる移動装置５０の分解斜視図である。
【００２４】
棚１１の両側端部には、図４に示すように、移動装置５０が装着されている。換言すれば、一対の摺動装置５０が棚１１に装着されている。移動装置５０は棚１１の両側端部の下面に装着されているので、側面に装着される場合に比較して、棚１１の上面を有効に利用でき、棚１１への食品等の収納性を向上できる。
【００２５】
移動装置５０は前後方向に水平に延びる構成となっており、その奥行き寸法は棚１１の奥行き寸法と概略同じとなっている。
【００２６】
また、移動装置５０は、固定具３０を介して、棚１１に固定されている。固定具３０として複数のネジが用いられており、ネジ３０を外すことにより棚１１から移動装置５０を取り外すことができ、棚１１及び移動装置５０の清掃が可能である。なお、固定具３０として移動装置５０に設けた爪を用い、この爪を棚１１に嵌合するようにしてもよい。この場合には、棚１１から移動装置５０を簡単に取り外すことができ、棚１１及び移動装置５０の清掃性をより一層向上できる。
【００２７】
移動装置５０は、図５に示すインナーカバー５１、インナーレール５３、ローラ６３、ラッチキーパ６１、アウターカバー５２、アウターレール５４、ローラ６４及びラッチアーム６２からなっている。インナーカバー５１、インナーレール５３、アウターカバー５２及びアウターレール５４は、前後に長く延びた合成樹脂部材で構成されている。
【００２８】
インナーカバー５１とインナーレール５３とは、図示しない結合手段により一体的に結合されている。インナーカバー５１は、下辺５１ａと、この下辺５１ａの一側の端部から立ち上がる立上辺５１ｂと、この立上辺５１ｂの上端部の側面に設けられた被固定部５１ｃとからなり、概略Ｌ字状をしている。
【００２９】
インナーレール５３は、ローラ６４のレール面になる上辺５３ａと、この上辺５３ａの側端部から立ち下がる立下辺５３ｂとからなり、概略逆Ｌ字状をしている。
【００３０】
ローラ６３は、インナーレール５３の後端部（具体的には立下辺５３ｂの後端部側面）に回動可能に取り付けられている。このローラ６３は、アウターレール５４の下辺５４ａのレール面である上面に沿って回動される。
【００３１】
ラッチキーパ６１は、インナーレール５３の後端部（具体的には立下辺５３ｂの後端部）から奥側に突出するように設けられ、ラッチアーム６２にロック可能となっている。
【００３２】
そして、インナーカバー５１の立上辺５１ｂの上端部を棚１１の下面に当接させ、固定具３０を棚１１を通して被固定部５１ｃにねじ込むことにより、インナーカバー５１が棚１１に固定状態で装着される。これによって、インナーレール５３、ローラ６３及びラッチキーパ６１が棚１１に装着された状態となる。
【００３３】
アウターカバー５２とアウターレール５４とは、図示しない結合手段により一体的に結合されている。また、インナーカバー５１がアウターカバー５２に前後動可能に係合して組み合わされている。これによって、アウターカバー５２はインナーカバー５１を介して棚１１に装着された状態となる。
【００３４】
アウターカバー５２は、下辺５２ａと、この下辺５２ａの側端部から立ち上がる立上辺５２ｂと、この立上辺５２ｂの上端部から側方に延びる上辺５２ｃと、この上辺５２から下方に突出する係止用凸部５２ｄとからなり、概略Ｚ字状をしている。係止用凸部５２ｄは、上辺５２ｃの前後方向において、部分的に突出して設けられている。
【００３５】
アウターレール５４は、ローラ６３のレール面になる下辺５４ａと、この下辺５４ａの側端部から立ち上がる立上辺５４ｂと、この立上辺５４ｂの側端部から側方に延びる上辺５４ｃとからなり、概略コ字状をしている。
【００３６】
ローラ６４は、アウターレール５４の前端部（具体的には立上辺５４ｂの前端部側面）に回動可能に取り付けられている。このローラ６４はインナーレール５３の上辺５３ａのレール面である下面に沿って回動される。
【００３７】
ラッチアーム６２は、アウターレール５４の後端部（具体的には立上辺５４ｂの後端部）から奥側に突出するように設けられている。
【００３８】
そして、図４に示す状態の棚１１及び移動装置５０を棚支持リブ１２に載置する。具体的には、図４に示す状態の棚１１及び移動装置５０を冷蔵室２内に前方より挿入し、アウターカバー５２の上辺５２ｃを棚支持リブ１２の上に載置する。棚支持リブ１２には上辺５２ｄの前後方向の長さと同じ長さの係止用凹部が設けられており、上辺５２ｄを係止用凹部に嵌め込むことにより、上辺５２ｃをアウターカバー５２に載置する。これによって、アウターカバー５２及びアウターレール５４は棚支持リブ１２に支持されると共に、前後方向の動きが拘束される。
【００３９】
次に、図６及び図７を参照しながら、移動装置５０の動作について具体的に説明する。図６は図１の冷蔵庫の移動装置５０の動作を説明する図、図７は図１の冷蔵庫の棚１１及び移動装置５０の動作を説明する図である。なお、図６では、棚１１を省略して示すと共に、図６（ａ）、（ｂ）、（ｃ）の各図における上図が上面図、下図が側面図を示す。また、図６（ａ）は移動装置が畳まれている原点状態を示し、図６（ｂ）、（ｃ）の順に動作することで棚１１が移動し、図６（ｃ）が移動装置５０の最大移動量の状態である。
【００４０】
棚１１及び移動装置５０が棚支持リブ１２に載置された図６及び図７に示す状態において、移動装置５０は、インナーレール５３に設けられたローラ６３がアウターレール５４の下辺５４ａのレール面である上面に当接して回転しながら移動され、アウターレール５４に設けられたローラ６４がインナーレール５３の上辺５３ａのレール面である下面に当接して回転しながら移動される。
【００４１】
移動装置５０は、冷蔵庫本体側（具体的には棚支持リブ側）に保持されたアウターレール５４に対して、インナーレール５３が前後に移動される。インナーレール５３の移動に伴って、インナーカバー５１及び棚１１が前後に移動される。換言すれば、図６（ａ）の状態（図７（ａ）の状態）から、棚１１を手前に引くことにより、棚１１は、前方に水平に移動され、図６（ｂ）の状態を経て、図６（ｃ）の状態（図７（ｂ）の状態）に移動され、食品等を載置した状態のまま前方に引き出すことができる。
【００４２】
冷蔵庫８０における棚１１への収納は、冷蔵室８０の棚１１が上一杯まで詰め込まれていることがしばしばある。冷蔵室２の上面及び他に設けた棚１１等の区切り高さ一杯に載置物を収納した場合、棚１１の奥へ載置した収納物を取り出すことは困難である。そこで奥のものを取り出すには、手前のものを一旦取り出す、上の棚１１を退かして上から取り出す、等という方法が行われているが、いずれも手間がかかり時間を必要としてしまう。また、冷蔵庫扉２ａを長時間開放させると、庫内温度が上昇し、それにより温まった庫内を冷やすための冷却時間が増加するので、電気代がかかることになる。省エネの観点から見ても、短時間でものの出し入れできる構造を設けた方がよい。そこで、棚１１の使い勝手を向上させるために、棚１１を水平方向にスライドできるようにすることで、上に空間をつくり、奥のものを手前側に移動させることで、取り出しが短時間で容易になる。
【００４３】
棚１１の前方への移動は、冷蔵室扉２ａの開放時に、冷蔵庫本体１の前面付近まで（移動量δ１）としてある。換言すれば、棚１１は図６（ｃ）よりも前方へ移動しないようにストッパ機構が設けられている。冷蔵室扉２ａに設けた扉ポケット２１との関係から、棚１１の前端は冷蔵庫本体１の前面より冷蔵室２の概略１／３奥側に突出されていることが一般的であり、棚１１の前方への移動を冷蔵庫本体１の前面付近までとすることにより、安全性を確保することができると共に、十分な移動範囲を得ることができる。即ち、棚１１を冷蔵庫本体１の前面付近まで引き出した状態のまま冷蔵室扉２ａを閉めようとして、冷蔵室扉２ａが備えた扉ポケット２１が棚１１に接触しても、衝突の力は棚１１の移動方向に働くので、そのまま冷蔵室扉２ａを閉めることができ、安全上のリスクも軽減できる。それに加え、棚１１を引き出した状態では、棚１１の一部が開放されることから、確認しづらい奥の方へ収納した食品等も上方及び斜め上方から容易に見渡すことができるようになる。移動装置５０によって移動された棚１１によって開放された空間は、食品等の取り出し及び確認の観点から使い勝手が向上につながる。
【００４４】
そして、棚１１を押すことにより、棚１１は、前述の引き出しと逆の動作により、図６（ｃ）の状態（図７（ｂ）の状態）から図６（ａ）の状態（図７（ａ）の状態）の状態に収納することができる。これによって、棚１１に載置された食品等の出し入れが容易となる。
【００４５】
移動装置５０は、インナーレール５３がアウターレール５４に収納された状態で、インナーレール５３に設けられたラッチキーパ６１とアウターレール５４に設けられたラッチアーム６２とが係合され、インナーレール５３がアウターレール５４にロックされる。これによって、意図しない動きを抑制できるので、安全面において有意である。
【００４６】
また、ラッチキーパ６１及びラッチアーム６２によるラッチ機構のロック状態は、棚１１を押すことにより解除可能な構成としている。係る構成によれば、冷蔵室２で食品等の出し入れや整理を行う際に、手に物を持った状態でも手の甲等で棚１１を押すだけで移動機能を使用可能にできるので、さらに使い勝手が良くなる。
【００４７】
移動装置５０は棚１１に装着されているので、例えば図２における棚支持リブ１２からその上の棚支持リブ１２へ棚１１の配置換えを行うことが可能であり、その場合でも移動機能５０をそのまま使用できる。
【００４８】
（第２実施形態）
次に、本発明の第２実施形態について図８及び図９を用いて説明する。図８は本発明の第２実施形態の冷蔵庫に用いる移動装置５０を示す図、図９は第２実施形態の冷蔵庫における移動装置５０の動作を説明する図である。図８（ａ）は摺動装置５０を断面して右側から見た図、図８（ｂ）は摺動装置５０の底面図、図８（ｃ）は摺動装置５０を断面して左側から見た図である。この第２実施形態は、次に述べる点で第１実施形態と相違するものであり、その他の点については第１実施形態と基本的には同一であるので、重複する説明を省略する。
【００４９】
移動装置５０は、インナーレール５３に設けられたラッチキーパ６１及びアウターレール５４に設けられたラッチアーム６２によって、インナーレール５３がアウターレール５４に収納された状態でロックされる。このラッチ機構によるロックは、前述したように棚１１を押し込むことによって解除可能なものである。
【００５０】
インナーレール５３とアウターレール５４との間にバネ６７が備えられている。このバネ６７は、上記ラッチ機構がロック状態のとき、引張り距離が最大となるように備えられている。ラッチ機構のロックを解除することにより、バネ６７によってインナーレール５３に力が加わり、インナーレール５３が前方へ移動する構成となっている。これにより、棚１１を押し込む動作のみで、ラッチ機構のロック解除による棚１１を手前に引き出す動作、及び手前に移動させた棚１１を元に戻す動作が行えるので、手に物を持ったままの状態においても、手の甲等で押すだけで両動作を行うことができる。棚１１へ載置された収納物の出し入れ、及び整理は手に物を持った状態で行う場合が多いので、使い勝手の面で非常に有効となる。
【００５１】
また、インナーレール５３に設けられたダンパ６５と、アウターレール５４に設けられたダンパ６５と干渉するラック６６によって、ラッチ機構によるロックを解除した際の前記バネ６７の力を緩和させる機構を備えている。ラック６６の長さは、棚１１及びインナーレール５１の移動範囲より長いものとし、棚１１の移動範囲において全てダンパ６５とラック６６とが噛み合うようになっている。これにより、バネ６７の突発的な力によってすばやく動く棚１１の動作を遅くし、棚１１に載置された収納物の転倒及び落下を防ぐことができる。
【図面の簡単な説明】
【００５２】
【図１】本発明の第１実施形態の冷蔵庫の斜視図を示す図である。
【図２】図１の冷蔵庫の縦断面図である。
【図３】図１の冷蔵庫の扉を省略して示す上部正面図である。
【図４】図１の冷蔵庫に用いられる棚及び移動装置の斜視図である。
【図５】図１の冷蔵庫に用いられる移動装置５０の分解斜視図である。
【図６】図１の冷蔵庫の移動装置５０の動作を説明する図である。
【図７】図１の冷蔵庫の棚及び移動装置の動作を説明する図である。
【図８】本発明の第２実施形態の冷蔵庫に用いる移動装置５０を示す図である。
【図９】第２実施形態の冷蔵庫における移動装置の動作を説明する図である。
【符号の説明】
【００５３】
１…冷蔵庫本体、１ａ…本体側の仕切り部、１ｂ…内箱、１ｃ…内箱背面、２…冷蔵室、２ａ…冷蔵室扉、２ｂ…冷蔵庫フランジ面、３…切り替え室、３ａ…切り替え室扉、４…製氷室、５…冷凍室、５ａ…冷凍室扉、６…野菜室、６ａ…野菜室扉、１１…棚、１２、…棚支持部（棚支持リブ）、２１…扉ポケット、２２…扉ライナー、５０…移動装置、５１…インナーカバー、５２…アウターカバー、５３…インナーレール、５４…アウターレール、６１…ラッチキーパ、６２…ラッチアーム、６３、６４…ローラ、６５…ダンパ、６６…ラック、６７…バネ、δ１…棚の移動可能範囲。
【図１】
2010008012.tif 000003
【図２】
2010008012.tif 000004
【図３】
2010008012.tif 000005
【図４】
2010008012.tif 000006
【図５】
2010008012.tif 000007
【図６】
2010008012.tif 000008
【図７】
2010008012.tif 000009
【図８】
2010008012.tif 000010
【図９】
2010008012.tif 000011